(57)【要約】【課題】防塵機能をより効果的に機能させるために、防塵フィルタをより効率的に振動させる必要がある。【解決手段】撮像装置は、光を電気信号に変換する撮像素子２０２と、撮像素子２０２の前面に配置された光学部材からなる振動部２２０と、振動部２２０を少なくとも２以上の周波数域において、周波数域毎に所定の周波数幅で周波数を変更して振動させる加振部２２１と、周波数域毎に、振動部２２０の振幅の半値幅に基づいて、所定の周波数幅を設定する本体制御手段２０３と、を備えることにより、適切な駆動周波数を選択し、防塵フィルタを効率的に振動させることができる。【選択図】図９
2010098410.tif 000002
【特許請求の範囲】
【請求項１】
光を電気信号に変換する撮像素子と、
前記撮像素子の前面に配置された光学部材からなる振動部と、
前記振動部を少なくとも２以上の周波数域において、周波数域毎に所定の周波数幅で周波数を変更して振動させる加振部と、
前記周波数域毎に、前記振動部の振幅の半値幅に基づいて、前記所定の周波数幅を設定する制御部と、
を備えた撮像装置。
【請求項２】
前記加振部は、圧電アクチュエータである
請求項１に記載の撮像装置。
【請求項３】
前記振動部の共振状態を検知する検知部を備え、
前記制御部は、前記検知部により検出された共振状態における周波数域の中心周波数、及び半値幅を用いて、前記所定の周波数幅を設定する
請求項１又は請求項２に記載の撮像装置。
【請求項４】
前記検知部は、前記圧電アクチュエータに設けられた電極である
請求項３に記載の撮像装置。
【請求項５】
前記周波数域毎に、変更する周波数を保持する記憶部を備えた
請求項１から請求項４の何れかに記載の撮像装置。
【発明の詳細な説明】
【技術分野】
【０００１】
本発明は、撮像素子を有する撮像装置に関し、特に撮像素子の防塵機能を有する撮像装置に関するものである。
【背景技術】
【０００２】
従来のデジタルカメラ、特にレンズ交換式のデジタルカメラにおいては、レンズ交換時等にゴミ、粉塵等がカメラ本体内に進入してカメラ本体内の撮像素子に付着することにより、撮像素子で取得される画像が劣化することがある。このような撮像素子へのゴミ、粉塵等の付着による画質の劣化の問題を解決するために、撮像素子の前面に撮像素子への塵埃を防止するための防塵フィルタを配置し、振動させることにより、撮像素子に付着した塵埃を払い落とす防塵機能を有するカメラが各種提案されている。
【０００３】
防塵フィルタを効率よく駆動させるため、特許文献１では、防塵フィルタを振動させる周波数を順次変更して制御する技術が開示されている。
【特許文献１】特開２００４−４８６６５号公報
【発明の開示】
【発明が解決しようとする課題】
【０００４】
しかしながら、防塵フィルタの周波数を順次変更し、防塵機能をより効果的に機能させるために、適切な駆動周波数を選択して、防塵フィルタを振動させる必要がある。
【０００５】
本発明は、上述した点を鑑みてなされたものであって、その目的とするところは、適切な駆動周波数を用いて、防塵フィルタを効率的に振動させることである。
【課題を解決するための手段】
【０００６】
本発明の撮像装置は、上記課題を解決するものであり、光を電気信号に変換する撮像素子と、前記撮像素子の前面に配置された光学部材からなる振動部と、前記振動部を少なくとも２以上の周波数域において、周波数域毎に所定の周波数幅で周波数を変更して振動させる加振部と、前記周波数域毎に、前記振動部の振幅の半値幅に基づいて、前記所定の周波数幅を設定する制御部と、を備える。
【発明の効果】
【０００７】
上記の構成によって、適切な駆動周波数を用いて、防塵フィルタを効率的に振動させることができる。
【発明を実施するための最良の形態】
【０００８】
以下、本発明の記録装置の一実施の形態について、図面を用いて詳細に説明する。
（実施の形態１）
（１．構成）
図１及び図２は、実施の形態１における撮像装置の構成を示すブロック図である。撮像装置は、交換レンズ１００とカメラ本体２００で構成され、交換レンズ１００はカメラ本体２００における所定の位置に着脱可能である。
【０００９】
図１は、ミラーを有するカメラの構成を示すブロック図であり、図２は、ミラーを有さないカメラの構成を示すブロック図である。
（１−１．カメラ）
ミラーを有するカメラの構成の詳細について、図１を用いて説明する。
【００１０】
メインミラー２０７は、交換レンズ１００から入射した被写体光の一部を反射するとともに、一部を透過する。メインミラー２０７で反射された被写体光は、焦点板２０６に結像する。メインミラー２０７はハーフミラーで、サブミラー２０８はミラーで、それぞれ構成されている。撮影者は、接眼レンズ２０５、ペンタプリズム２０４を介して、焦点板２０６に結像した被写体像を視認することができる。
【００１１】
メインミラー２０７を透過した被写体光は、サブミラー２０８で反射されて、焦点検出ユニット２１１に入射する。焦点検出ユニット２１１は、ラインセンサで構成される。本体制御手段２０３は、焦点検出ユニット２１１の出力から合焦状態を認識することができる。焦点検出ユニット２１１の出力を用いて自動的に合焦させる合焦方式は、一般的に位相差検出方式と呼ばれる。
【００１２】
光軸上でサブミラー２０８の後方には、シャッター２０９と、撮像素子２０２が設けられる。サブミラー２０８が光軸上に配置された状態では、被写体光は撮像素子２０２に到達しないので、シャッター２０９は、閉じた状態である。一方、サブミラー２０８が光軸上から退避した場合、交換レンズ１００を通った光束は、撮像素子２０２の撮像面上に結像される。撮像素子２０２は、ＣＣＤイメージセンサーやＣＭＯＳイメージセンサーで構成される。
【００１３】
シャッター２０９と撮像素子２０２との間には、防塵フィルタ２２０が配されている。防塵フィルタは、透明板でもかまわないし、光学ＬＰＦ（ローパスフィルタ）を用いてもかまわない。透明板の場合、透明板と撮像素子２０２の間に、光学ＬＰＦ２４１が別途配置される。一方、光学ＬＰＦの場合は、光学ＬＰＦを分離した一部を用いてもよい。圧電素子２２１は、防塵フィルタ２２０の周縁部に接着により固定されている。圧電素子２２１には駆動回路２２２が接続されている。圧電素子２２１は、駆動回路２２２により周期性を持った電圧を印加される事により駆動される。防塵フィルタ２２０は、圧電素子２２１の駆動に伴って振動する。レンズ交換時等にカメラ本体２００に入ったゴミ、粉塵等は、ミラー２０７及びサブミラー２０８の可動時に、カメラ本体２００内を移動し、防塵フィルタ２２０に付着する。防塵フィルタ２００は、振動により、表面に付着したゴミ、粉塵等を除去することができる。
【００１４】
撮像素子２０２から出力された画像信号は、本体制御手段２０３によって画像データに変換された後に画像表示ユニット２１０に表示される。画像表示ユニット２１０は、液晶ディスプレイや有機ＥＬディスプレイで構成される。撮影者は、画像表示ユニット２１０によって被写体像を視認することができる。この状態をライブビューモードと呼ぶ。本体制御手段２０３は、撮像素子２０２から出力された画像信号に基づく画像データのコントラストから合焦状態を認識することができる。撮像素子２０２の出力を用いて自動的に合焦させる合焦方式は、一般的に山登り方式と呼ばれる。
【００１５】
装着検出手段２１２は、カメラ本体２００に対する交換レンズ１００の装着を検出することができる。装着検出手段２１２は、機械式スイッチなどで構成することができる。本体制御手段２０３は、装着検出手段２１２の状態を監視することで、交換レンズ１００の装着を認識することができる。なお、装着検出手段２１２は、本発明に必須の構成ではない。本体制御手段２０３は、通信手段（２）２０１、通信手段（１）１０６を介して、レンズ制御手段１０５と通信することで、カメラ本体２００に対する交換レンズ１００の装着を検出することとしてもよい。
【００１６】
本体制御手段２０３は、上記した機能の他に、撮像素子２０２から出力された画像信号を画像データに変換して記録媒体（図示せず）に記録することができる。本体制御手段２０３は、単一のＬＳＩであってもよいし、複数のＬＳＩで構成されていてもよい。通信手段（２）２０１は、専用のＬＳＩであってもよいし、本体制御手段２０３がその機能を包含する構成であってもよい。カメラ本体２００は、撮影者が撮影を指示するレリーズボタンやカメラ本体２００の各種モードを切り換えるモードダイヤル、カメラ本体２００、交換レンズ１００の各部に電力を供給するバッテリーや電源回路などを装備するが、図１、図２では省略している。
【００１７】
図２に示すミラーを有さないカメラの構成は、図１に示すミラーを有するカメラの構成と比較して、ペンタプリズム２０４、接眼レンズ２０５、焦点板２０６、メインミラー２０７及びサブミラー２０８が存在せず、他の構成要素に関しては、図１の構成要素と同一であり、説明を省略する。但しこの場合、ＥＶＦ（電子ビューファインダ）が付加される場合もある。
【００１８】
レンズ交換時等にカメラ本体２００に入ったゴミ、粉塵等は、防塵フィルタ２２０に付着する。圧電素子２２１は、駆動回路２２２により周期性を持った電圧を印加され、駆動される。防塵フィルタ２２０は、圧電素子２２１の駆動に伴って振動し、表面に付着したゴミ、粉塵等を除去することができる。
（１−２．防塵部の構成）
図１における防塵フィルタ２２０及び圧電素子２２１からなる防塵部について、構成の詳細を図３、図４を用いて説明する。図３は、防塵部の分解斜視図であり、図４は、撮像素子２０２の関連部材を含む、防塵部の垂直断面図である。
【００１９】
撮像素子２０２の前面には、防塵フィルタ受け部材２３０が撮像素子ケース２４０のねじ受けによって固定されている。
【００２０】
防塵部の構成を、主に図３を用いて、説明する。
【００２１】
防塵フィルタ受け部材２３０の上にOリング（ゴム）２３１がはさまれ、さらに圧電素子２２１がはさまれている。ここで、圧電素子２２１はリング型形状に限らず、短冊形形状でもかまわない。
【００２２】
圧電素子２２１は、防塵フィルタ２２０の周縁部と一体となるよう、たとえば接着剤で貼り付けられており、防塵フィルタ２２０の両面には、反射防止効果、たとえばＡＲコートが施されている。ここで撮像素子２０２に対して、防塵フィルタ２２０は、Oリング２３１で挟み込むことによって、防塵フィルタ２２０と撮像素子２０２間は気密状態が保たれている。
【００２３】
圧電素子２２１は、フレキ２３２が圧着されており、フレキ２３２にはリード線がハンダ付けされ、駆動回路２２２に接続されている。圧電素子２２１は、駆動回路２２２により、所定の周期性を持った電圧を印加されることにより、駆動する。この駆動に伴って、防塵フィルタ２２０に所定の振動を発生させることが出来る。
【００２４】
防塵フィルタ２２０は、全体として円形もしくは多角形の形状をなし、また、光学ＬＰＦ２４１の前面に所定の空間を持って平行配置されている。
【００２５】
防塵フィルタ２２０は、遮光シート２３３が覆いかぶされ、その上をバネ支持部２３４で保持されたバネ２３５にて、気密性を保持するよう抑えられている。
【００２６】
防塵フィルタ２２０は、防塵フィルタ２２０の略中央部より円形状又は、多角形状の開口部が設けられている。この開口部は、撮像光学系を通過した被写体光束を通過させて、後方に配置されている撮像素子２０２が光電変換を行うのに十分な大きさとなるよう、設計されている。
【００２７】
防塵部と、撮像素子２０２の周辺の構成を図４に示す。撮像素子２０２は、撮像素子固定板２４２上に固定される。撮像素子２０２の前面に、カバーガラス２４４が設けられる。カバーガラス２４４の前面に、光学ＬＰＦ受け部材２４３が設けられる。光学ＬＰＦ２４１は、光学ＬＰＦ受け部材２４３に固定される。
（１−３．駆動回路の構成）
駆動回路２２２を構成するブロック図を図５に示す。
【００２８】
本体制御手段２０３は、クロック発生回路２５０を備える。本体制御手段２０２のクロック発生回路２０５が発生したＰＷＭ信号は、駆動回路２２２のロジック回路２５１を通過し、ＦＥＴ２５２に入る。ＦＥＴ２５２は、トランス２５３の１次側に接続されている。ＦＥＴ２５２のスイッチング動作により、トランス２５３は、電源回路２５４の電圧より、所定の周期性を持った、２次側の信号が発生するよう構成されている。これにより、圧電素子２２１に対して、周期性を持った電圧が印加される。
（１−４．本発明との対応）
防塵フィルタ２２０は、本発明の振動部の一例である。圧電素子２２１は、本発明の加振部の一例である。本体制御手段２０３は、本発明の制御部の一例である。変位検出用電極２４５は、本発明の検知部の一例である。
（２．動作）
（２−１．防塵フィルタの共振モード）
防塵フィルタ２２０は、圧電素子２２１の駆動により振動するが、振動により発生する共振モードについて、図６を用いて説明する。
【００２９】
図６は、防塵フィルタ２２０が円形、若しくは円形に近い多角形状の場合に発生する共振モードを示し、防塵フィルタが正方形等の他の形状である場合には、発生する共振モードは異なる。
【００３０】
防塵フィルタ２２０の振動は、駆動回路２２２から圧電素子２２１に印加される電圧の周波数によって共振モードが変化する。低周波より、周波数をあげていくと、図６（ａ）に示す一次共振が現れる。さらに周波数を上げていくと、二次共振が発生し（図６（ｂ））、さらに上げていくと、三次共振が得られる（図６（ｃ））。これ以降も駆動周波数をあげることにより、高次の共振が得られる。ここで、実線はある時間の防塵フィルタ２２０表面の振動状態、破線は半周期遅れた時間の防塵フィルタ２２０表面の振動状態を示している。
【００３１】
図６（ａ）に示す一次共振モードでは、防塵フィルタ２２０の端が節（振動しない部分）となり、中心が腹（最も振幅がある部分）となる。二次共振モードでは、図６（ｂ）に示すように節、腹の位置が移動し、三次共振モードでは、図６（ｃ）に示すように節、腹の位置が移動する。
【００３２】
共振により発生する防塵フィルタ２２０の振動により、防塵フィルタ２２０上に付着したゴミ、粉塵等を飛ばし、除去することができる。
（２−２．共振モードの組み合わせ）
図７は、二次共振モードと三次共振モードとを組み合わせた図である。
【００３３】
このように、複数の共振モードを組み合わせることにより、二次共振モードでは、節となって振動しない部分も、三次共振モードを使うことによって、振幅が得られる。同様に、三次共振モードでは、節となって振動しない部分も、二次共振モードでは、振幅が得られる。
【００３４】
このように、複数の共振モードを組み合わせることによって、必要な領域で、必要な振幅を確保することができ、ゴミ、粉塵等の除去を効果的に行うことができる。
【００３５】
なお、共振モードの組み合わせは、二次と三次に限らず、他の組み合わせでもよい。また、組み合わせる次数の数は２つに限らず、２つ以上を組み合わせてもよい。組み合わせる次数の数を増やすほど、防塵効果は高くなると考えられるが、駆動時間も増加するため、効果と時間を踏まえて、適当な次数とする。
（２−３．防塵動作）
撮像装置は、以下に詳細を説明する防塵動作を、操作部（表示せず）を用いて、ユーザが電源をオンした際、又はメニュー等により防塵動作の開始を指示した際に、実行する。また、防塵動作は、撮像装置の電源オフ時や、交換レンズ１００を交換した時に実行してもよい。
【００３６】
撮像装置で実行する防塵動作について、図８のフローチャートを用いて説明する。不揮発メモリ（図示せず）上には、異なる次数の共振に対する中心周波数、半値幅、及び振り幅が保持される。２次の共振周波数として中心周波数は４０ＫＨｚ、半値幅は０．３ＫＨｚ、振り幅は３ＫＨｚの値が設定されており、３次の共振周波数として中心周波数は６０ＫＨｚ、半値幅は０．６ＫＨｚ、振り幅は６ＫＨｚの値が設定されている。本体制御手段２０３は、不揮発メモリ上の２次の共振周波数の中心周波数（４０ＫＨｚ）を取得する（ステップＳ８０１）。本体制御手段２０３は、２次の共振周波数の半値幅を取得し、それを基に変更する周波数幅を決定する。半値幅を基に変更周波数幅を決定する方法として、例えば、必ずピークから１／４以上の部位を選択できるように、半値幅の２／３の値を設定するようにし、変更周波数幅は０．２ＫＨｚとなる（ステップＳ８０２）。本体制御手段２０３は、不揮発メモリ上の２次の周波数の振り幅（３ＫＨｚ）を取得する（ステップＳ８０３）。
【００３７】
本体制御手段２０３は、開始時の振動周波数を、中心周波数から振り幅を引くことにより求める（３７ＫＨｚ）。本体制御手段２０３は、駆動回路２２２を制御し、防塵フィルタ２２０を振動周波数（３７ＫＨｚ）で、所定時間の間、振動させる（ステップＳ８０５）。振動させる所定時間は、異なる次数の共振周波数毎に、異なる値を取っても良いし、同じ値を取っても良い。
【００３８】
本体制御手段２０３は、振動周波数（３７ＫＨｚ）に変更周波数幅（０．２ＫＨｚ）を足して、次の振動時の振動周波数（３７．２ＫＨｚ）を求める（ステップＳ８０６）。２次の共振周波数における、中心周波数に振り幅を足した最後の振動周波数（４３ＫＨｚ）の振動が終了するまでの間（ステップＳ８０７でＮｏ）、本体制御部２０３は、振動周波数を変更周波数幅（０．２ＫＨｚ）分増加しつつ、防塵フィルタ２２０をその振動周波数で、所定時間の間、振動させる（ステップＳ８０５）。
【００３９】
このように振動周波数を、共振の中心周波数を基準に、前後に変更して振動させることによって、防塵フィルタ２２０の個体差、若しくは防塵フィルタ２２０の温度特性により、現在用いている防塵フィルタ２２０の共振の中心周波数が、あらかじめ保持している中心周波数からずれている場合でも、使用している防塵フィルタ２２０の中心周波数付近で振動させることができる。
【００４０】
なお、振動周波数に関して、中心周波数に振り幅を足した周波数（４３ＫＨｚ）から開始し、変更周波数幅（０．２ＫＨｚ）を引いた駆動周波数で順次振動させ、終了の駆動周波数（３７ＫＨｚ）まで振動させるとしても良い。
【００４１】
２次の共振周波数における駆動周波数での振動が終了すると、３次の共振周波数における駆動周波数での振動を実行する（ステップＳ８０８でＮｏ）。
【００４２】
本体制御手段２０３は、不揮発メモリ上の３次の共振周波数の中心周波数（６０ＫＨｚ）を取得する（ステップＳ８０１）。本体制御手段２０３は、３次の共振周波数の半値幅（０．６ＫＨｚ）を取得し、それを基に変更する周波数幅（０．４ＫＨｚ）を決定する（ステップＳ８０２）。本体制御手段２０３は、不揮発メモリ上の３次の周波数の振り幅（６ＫＨｚ）を取得する（ステップＳ８０３）。
【００４３】
本体制御手段２０３は、開始時の振動周波数を、中心周波数から振り幅を引くことにより求める（５４ＫＨｚ）。本体制御手段２０３は、駆動回路２２２を制御し、防塵フィルタ２２０を振動周波数（５４ＫＨｚ）で、所定時間の間、振動させる（ステップＳ８０５）。
【００４４】
本体制御手段２０３は、振動周波数（５４ＫＨｚ）に変更周波数幅（０．４ＫＨｚ）を足して、次の振動時の振動周波数（５４．４ＫＨｚ）を求める（ステップＳ８０６）。３次の共振周波数における、中心周波数に振り幅を足した最後の振動周波数（６６ＫＨｚ）の振動が終了するまでの間（ステップＳ８０７でＮｏ）、本体制御部２０３は、振動周波数を変更周波数幅（０．４ＫＨｚ）分増加しつつ、防塵フィルタ２２０をその振動周波数で、所定時間の間、振動させる（ステップＳ８０５）。
【００４５】
２次及び３次の共振周波数域における駆動周波数での振動が終了すると（ステップＳ８０８でＹｅｓ）、防塵動作を終了する。
【００４６】
なお、本実施の形態では、２次の共振周波数の振動後に、３次の共振周波数の振動を行っているが、本発明はこれに限らず、３次の共振周波数の振動後に、２次の共振周波数の振動を行っても良い。
【００４７】
なお、本実施の形態では、２次と３次の共振周波数における振動について説明したが、本発明はこれに限られず、異なる任意の次数の共振周波数を２以上組み合わせて振動させることも、本発明に含まれる。
【００４８】
なお、本実施の形態では、本体制御手段２０３が、不揮発メモリ上の中心周波数、半値幅、及び振り幅を用いて、駆動周波数を計算したが、本発明はこれに限られず、あらかじめ共振周波数毎に計算した駆動周波数の一覧を不揮発メモリ上に保持し、この値を読み出すことで、駆動周波数を求めても良い。
【００４９】
共振周波数毎に、半値幅を用いて変更周波数幅を求め、その変更周波数幅分、周波数を変更しつつ、防塵フィルタ２２０を振動させることによる効果を、図９を用いてより詳細に説明する。
【００５０】
２次の共振周波数の半値幅（０．３ＫＨｚ）は、３次の共振周波数の半値幅（０．６ＫＨｚ）の半分である。ここで、このような状態でも同じ変更周波数幅で周波数を変更して振動していくと、３次共振のほうが、２次共振の倍細かいステップで駆動していることになる。２次共振のステップで３次共振をスイープすると、必要以上の分解能で駆動することになり、時間、電力の無駄となる。よって、半値幅に応じて、変更周波数幅を設定する。これにより、駆動時間と性能を両立することが出来る。
（実施の形態２）
撮像装置の構成について、実施の形態１と同様であり、説明を省略する。実施の形態１との相違点として、防塵部の構成が異なる。図１０に防塵部の分解斜視図、図１１に圧電素子２２１に設けられる電極の詳細を示す。実施の形態１との相違点として、圧電素子２２１の前面、後面に、駆動用に取り付けられる駆動用電極２４６とは別に、変位検出用電極２４５を設ける点である。
【００５１】
撮像装置は、防塵動作を開始する前に、予備動作として、不揮発メモリ上に保持する異なる次数の共振に対する中心周波数の前後を、周波数を変更しつつ、防塵フィルタ２２０を駆動し、振動させる。この時の防塵フィルタ２２０の振幅を、変位検出用電極２４５による振動に比例する電位を元に、検出する。本体制御手段２０３は、変位検出用電極２４５用いて検出した振動状態の周波数特性を基に、共振の中心周波数、及び半値幅を決定し、その値を不揮発メモリ上に格納する。その後、本体制御部２０３は、不揮発メモリ上に保持する共振の中心周波数、半値幅、及びあらかじめ保持する振り幅を用いて、防塵フィルタ２２０を振動させる点は、実施の形態１と同様であり、説明を省略する。
【００５２】
このように、共振の周波数特性の検知手段を備え、それに基づき共振の中心周波数、及び半値幅を決定し、その値を用いて防塵フィルタ２２０を振動させることによって、防塵フィルタ２２０の個体差、若しくは防塵フィルタ２２０の温度特性により、共振の中心周波数、及び半値幅の値が変化した場合でも、その時の状況に応じた適切な値を使用することができ、効率的に防塵フィルタ２２０を振動させることができる。
【産業上の利用可能性】
【００５３】
本発明の撮像装置は、撮像素子の前面に配置した防塵フィルタを効率的に振動させ、防塵機能をより高めることができ、デジタルスチルカメラ、デジタルムービー等の撮像装置に適用することができ、有用である。
【図面の簡単な説明】
【００５４】
【図１】本発明の一実施の形態におけるミラーを有するカメラの構成を示すブロック図
【図２】本発明の他の実施の形態におけるミラーを有さないカメラの構成を示すブロック図
【図３】本発明の一実施の形態における防塵部の分解斜視図
【図４】本発明の一実施の形態における防塵部の垂直断面図
【図５】本発明の一実施の形態における防塵部の駆動回路のブロック図
【図６】本発明の一実施の形態における防塵フィルタの共振を表す説明図
【図７】本発明の一実施の形態における複数の共振モードの組み合わせを表す説明図
【図８】本発明の一実施の形態における防塵動作の処理を示すフローチャート
【図９】本発明の一実施の形態における共振モード毎の半値幅を表す図
【図１０】本発明の他の実施の形態における防塵部の分解斜視図
【図１１】本発明の他の実施の形態における圧電素子に設けられる電極を表す図
【符号の説明】
【００５５】
１００    交換レンズ
１０１    対物レンズ
１０２    ズームレンズ
１０３    絞りユニット
１０４    フォーカスレンズ
１０５    レンズ制御手段
１０６    通信手段（１）
１０７    レンズ駆動手段
１０８    記憶手段
２００    カメラ本体
２０１    通信手段（２）
２０２    撮像素子
２０３    本体制御手段
２０４    ペンタプリズム
２０５    接眼レンズ
２０６    焦点板
２０７    メインミラー
２０８    サブミラー
２０９    シャッター
２１０    画像表示ユニット
２１１    焦点検出ユニット
２１２    装着検出手段
２２０    防塵フィルタ
２２１    圧電素子
２２２    駆動回路
２３０    防塵フィルタ受け部材
２３１    Ｏリング
２３２    フレキ
２３３    遮光シート
２３４    バネ支持部
２３５    バネ
２３６    ねじ
２４０    撮像素子ケース
２４１    光学ＬＰＦ
２４２    撮像素子固定板
２４３    光学ＬＰＦ受け部材
２４４    カバーガラス
２４５    変位検出用電極
２４６    駆動用電極
２４７    グランド
２５０    クロック発生回路
２５１    ロジック回路
２５２    ＦＥＴ
２５３    トランス
２５４    電源回路
【図１】
2010098410.tif 000003
【図２】
2010098410.tif 000004
【図３】
2010098410.tif 000005
【図４】
2010098410.tif 000006
【図５】
2010098410.tif 000007
【図６】
2010098410.tif 000008
【図７】
2010098410.tif 000009
【図８】
2010098410.tif 000010
【図９】
2010098410.tif 000011
【図１０】
2010098410.tif 000012
【図１１】
2010098410.tif 000013